(57)【要約】【課題】本発明は、キャリッジと係合部との干渉により、キャリッジの破損や、キャリッジの動作が規制される等の不具合を抑制することを目的とする。【解決手段】原稿読み取り装置は、第１の方向に移動可能に配置され、第１の方向と平行な側面を有し、側面に被係合部を備えるキャリッジと、第１の方向と交差する第２の方向に移動可能に配置され、キャリッジが第１の位置にある場合に被係合部と係合し、キャリッジが第２の位置にある場合に側面と当接する係合部と、を備える。【選択図】図２
2009212652.tif 000002
【特許請求の範囲】
【請求項１】
原稿読み取り装置であって、
第１の方向に移動可能に配置され、前記第１の方向と平行な側面を有し、前記側面に被係合部を備えるキャリッジと、
前記第１の方向と交差する第２の方向に移動可能に配置され、前記キャリッジが第１の位置にある場合に前記被係合部と係合し、前記キャリッジが第２の位置にある場合に前記側面と当接する係合部と、を備える原稿読み取り装置。
【請求項２】
請求項１に記載の原稿読み取り装置において、
前記キャリッジは、前記側面の両側に、前記第２の位置から第１の位置への前進方向と面する前面と、後退方向と面する後面とを備え、
前記係合部は、前記前進方向と面する前係合面と、前記後退方向と面する後係合面とを備え、
前記キャリッジが第１の位置にある場合に、前記前面と、前記後係合面との前記第１の方向における距離が、前記第１の位置にある前記キャリッジの前記前面と、前記第２の位置にある前記キャリッジの前記前面との前記第１の方向における距離より大きい原稿読み取り装置。
【請求項３】
請求項１または請求項２に記載の原稿読み取り装置において、
前記第１の位置は、前記キャリッジの待機位置である原稿読み取り装置。
【請求項４】
請求項１ないし請求項３に記載の原稿読み取り装置において、
前記第２の位置は、前記キャリッジの移動限界位置である原稿読み取り装置。
【請求項５】
請求項１ないし請求項４に記載の原稿読み取り装置において、
前記係合部は、前記キャリッジが前記第１の位置と前記第２の位置との間の第３の位置にある場合に、前記側面と当接する原稿読み取り装置。
【請求項６】
請求項５に記載の原稿読み取り装置はさらに、
原稿を搬送可能な原稿自動供給装置を備え、
前記第３の位置は、前記キャリッジが前記原稿自動供給装置から搬送されている原稿を読み取る位置である原稿読み取り装置。
【請求項７】
請求項１ないし請求項６に記載の原稿読み取り装置において、
前記第１の方向は、副走査方向に沿った方向であり、
前記第２の方向は、主走査方向に沿った方向である原稿読み取り装置。
【請求項８】
請求項１ないし請求項７に記載の原稿読み取り装置はさらに、
前記係合部を格納するハウジングを備え、
前記係合部は前記ハウジングの側面に配置された操作部と接続されている原稿読み取り装置。
【発明の詳細な説明】
【技術分野】
【０００１】
本発明は、原稿読み取り装置に関する。
【背景技術】
【０００２】
従来から、イメージスキャナや複写機等、装置内部のキャリッジが移動することにより原稿の読み取りをおこなうフラットベッド型の原稿読み取り装置が知られている。このような原稿読み取り装置には、一般的に、搬送時にキャリッジの移動や振動を抑制するために、キャリッジを固定するロック機構が備えられている。このロック機構の誤操作等による不具合を抑制するための技術として、キャリッジがロックされた状態での誤動作を抑制する技術が知られている（特許文献１）。また、衝撃等によるロックの解除を抑制する技術が知られている（特許文献２）。
【０００３】
【特許文献１】特開２００１−１８５０１号公報
【特許文献２】特開２００２−１１８６９９号公報
【発明の開示】
【発明が解決しようとする課題】
【０００４】
しかし、ハウジングに備えられた係合部が、キャリッジに備えられた被係合部と係合することによりキャリッジを固定するロック機構において、キャリッジが係合可能な位置にない場合であっても、誤操作等により、本体側の係合部がロック時の状態となることがある。この場合、係合部とキャリッジとが干渉してキャリッジの破損や、キャリッジの動作を規制する等の不具合が発生する虞があった。
【０００５】
本発明は、上記した従来の課題の少なくとも一部を解決するためになされた発明であり、キャリッジと係合部との干渉により、キャリッジの破損や、キャリッジの動作が規制される等の不具合を抑制することを目的とする。
【課題を解決するための手段】
【０００６】
上記課題の少なくとも一部を解決するために本願発明は以下の態様を採る。
【０００７】
本発明の第１の態様は、原稿読み取り装置を提供する。本発明の第１の態様に係る原稿読み取り装置は、第１の方向に移動可能に配置され、前記第１の方向と平行な側面を有し、前記側面に被係合部を備えるキャリッジと、前記第１の方向と交差する第２の方向に移動可能に配置され、前記キャリッジが第１の位置にある場合に前記被係合部と係合し、前記キャリッジが第２の位置にある場合に前記側面と当接する係合部と、を備える。
【０００８】
本発明の第１の態様に係る原稿読み取り装置によれば、被係合部と係合部とが係合しない第２の位置にキャリッジがある場合に、係合部が第２の方向に移動しても、キャリッジの側面と当接するため、キャリッジの第１の方向への移動は規制されない。そのため、キャリッジが係合部と干渉してキャリッジの破損や、キャリッジの動作を規制する等の不具合の発生を抑制することができる。
【０００９】
本発明の第１の態様に係る原稿読み取り装置において、前記キャリッジは、前記側面の両側に、前記第２の位置から第１の位置への前進方向側と面する前面と、後退方向と面する後面とを備え、前記係合部は、前記前進方向と面する前係合面と、前記後退方向と面する後係合面を備え、前記キャリッジが第１の位置にある場合に、前記前面と、前記後係合面との前記第１の方向における距離が、前記第１の位置にある前記キャリッジの前記前面と、前記第２の位置にある前記キャリッジの前記前面との前記第１の方向における距離より大きくてもよい。この場合、キャリッジが第２の位置にある場合に係合部が移動しても、係合部の少なくとも一部はキャリッジの側面と当接することができるため、キャリッジが係合部と干渉してキャリッジの破損や、キャリッジの動作を規制する等の不具合の発生を抑制することができる。
【００１０】
本発明の第１の態様に係る原稿読み取り装置において、前記第１の位置は、前記キャリッジの待機位置であってもよい。この場合、キャリッジが待機位置にある状態において、係合部によりキャリッジを固定することができる。
【００１１】
本発明の第１の態様に係る原稿読み取り装置において、前記第２の位置は、前記キャリッジの移動限界位置であってもよい。この場合、キャリッジが移動限界位置にある場合に係合部が移動しても、係合部はキャリッジの側面と当接するため、キャリッジが係合部と干渉してキャリッジの破損や、キャリッジの動作を規制する等の不具合の発生を抑制することができる。
【００１２】
本発明の第１の態様に係る原稿読み取り装置において、前記係合部は、前記キャリッジが前記第１の位置と前記第２の位置との間の第３の位置にある場合に、前記側面と当接してもよい。この場合、キャリッジが第２の位置と第１の位置の間にあれば、係合部が移動してもキャリッジの側面と当接するため、キャリッジが係合部と干渉してキャリッジの破損や、キャリッジの動作を規制する等の不具合の発生を抑制することができる。
【００１３】
本発明の第１の態様に係る原稿読み取り装置はさらに、原稿を搬送可能な原稿自動供給装置を備え、前記第３の位置は、前記キャリッジが前記原稿自動供給装置から搬送されている原稿を読み取る位置であってもよい。この場合、キャリッジが原稿自動供給装置から搬送されている原稿を読み取る位置にある場合に係合部が移動しても、係合部はキャリッジの側面と当接するため、キャリッジが係合部と干渉してキャリッジの破損や、キャリッジの動作を規制する等の不具合の発生を抑制することができる。
【００１４】
本発明の第１の態様に係る原稿読み取り装置において、前記第１の方向は、副走査方向に沿った方向であり、前記第２の方向は、主走査方向に沿った方向であってもよい。この場合、副走査方向に移動可能なキャリッジについて係合部を主走査方向に移動させることによりキャリッジを固定することができる。
【００１５】
本発明の第１の態様に係る原稿読み取り装置はさらに、前記係合部を格納するハウジングを備え、前記係合部は前記ハウジングの側面に配置された操作部と接続されていてもよい。この場合、操作部により係合部の移動を操作することができる。
【００１６】
本発明は、上記以外の種々の態様で、実現可能であり、例えば、キャリッジを備えるスキャナ、複写機、ファクシミリ等のほかに、原稿読み取り装置を備えた複合機などの形態で実現することが可能である。
【発明を実施するための最良の形態】
【００１７】
以下、本発明に係る原稿読み取り装置であるスキャナについて、図面を参照しつつ、実施例に基づいて説明する。
【００１８】
Ａ１．装置の構成：
図１は、本実施例におけるスキャナの外観を例示した説明図である。スキャナ１０は、読み取り対象物を光学的に読み取り、画像データを出力する。本実施例のスキャナ１０は、いわゆるフラットベッド型のスキャナである。スキャナ１０は、ケース１１と、原稿載置板１２と、原稿透過板１３と、原稿押さえ１４と、を備える。
【００１９】
ケース１１は略筺形状を備え、内部には後述する種々の装置を格納している。ケース１１の上面には原稿載置板１２および原稿透過板１３を支持するための支持部１５を備える。原稿載置板１２と原稿透過板１３との間における支持部１５の裏側には図示しない白基準板、および、反射率の異なる領域により形成された基準パターンが配置されている。
【００２０】
原稿載置板１２および原稿透過板１３は、略矩形形状の平板であり、ケース１１の長手方向（Ｘ方向であって後述する副走査方向）に沿って並ぶようにして支持部１５に取り付けられている。原稿載置板１２および原稿透過板１３は、例えば、透明なガラス板やプラスチック板により形成されている。原稿透過板１３は、原稿載置板１２より長手方向（Ｘ方向）が短く、Ｙ方向（後述する主走査方向）に細長い形状を有している。
【００２１】
原稿押さえ１４は、ケース１１の上面と対応した板状の外形を備え、ケース１１の長手方向（Ｘ方向）に沿った側面１１ａに備えられたヒンジ１６を介して回動可能に取り付けられている。原稿押さえ１４は押さえシート１７と、原稿供給装置１８とを備える。
【００２２】
押さえシート１７は、原稿押さえ１４において原稿載置板１２に対向する位置に配置されている。押さえシート１７は、例えば略白色に着色された樹脂製のシートである。スキャナ１０は原稿載置板１２上に原稿を載せ、押さえシート１７に原稿を接触させつつ、原稿押さえ１４によって原稿を上から押しつけることにより、原稿を原稿載置板１２に密着させることが可能となっている。
【００２３】
原稿供給装置１８は、トレー１９と開口部２０とを備える。開口部２０は原稿押さえ１４の原稿透過板１３に対向する位置に配置されている。原稿供給装置１８は、図示しないローラによりトレー１９上に積層された原稿を順次、開口部２０を介して原稿透過板１３に晒した後、トレー１９の下に送り込む。スキャナ１０は後述するキャリッジ３００を原稿透過板１３の下に配置することにより、原稿透過板１３を介して原稿を読み込むことができる。本実施例では、キャリッジ３００が原稿供給装置１８から搬送される原稿を読み取る位置を「ＡＤＦポジション」と呼ぶ。
【００２４】
図２は、スキャナの内部を例示した説明図である。図２では、図１に示した原稿押さえ１４、ケース１１の支持部１５等の図示を省略し、原稿載置板１２および原稿透過板１３の位置を波線で示している。図３は、スキャナのＸ方向断面の一部を例示した説明図である。図２に示すように、スキャナ１０は、ケース１１の内部にキャリッジ３００と、ガイドレール２１０と、タイミングベルト２２２と、ステッピングモータ２２６と、フラットケーブル２４０と、制御部２３０と、電源ユニット２５０と、度当たり板４０と、ロック部材５０と、を備える。
【００２５】
ガイドレール２１０は、ケース１１の長手方向（Ｘ方向）に略平行に配置され、両端においてブラケット２１２によりケース１１に固定されている。キャリッジ３００は、ガイドレール２１０に摺動可能に取り付けられている。
【００２６】
ここで、キャリッジ３００がガイドレール２１０に沿って移動する方向（図２のＸ方向）を「副走査方向」と呼び、副走査方向に沿った一方の方向（図２のＸ１方向）を「副走査順方向」と、副走査方向に沿った他方の方向（図２のＸ２方向）を「副走査逆方向」と呼ぶ。また、図の面内方向で副走査方向に直交する方向（図２のＹ方向）を「主走査方向」と呼び、主走査方向に沿った一方の方向（図２のＹ１方向）を「主走査順方向」と呼ぶ。さらに、図の面外方向で副走査方向および主走査方向と直交する方向（図１、図２のＺ方向）を「上下方向」と呼ぶ。「副走査方向」は特許請求の範囲における「第１の方向」に該当し、「主走査方向」は特許請求の範囲における「第２の方向」に該当する。
【００２７】
タイミングベルト２２２は、一対のプーリ２２４の間に架設され、一部がキャリッジ３００に結合されている。一対のプーリ２２４のうち一方は、ギア２２８を介してステッピングモータ２２６により回転駆動される。プーリ２２４が回転駆動されることにより、タイミングベルト２２２がプーリ２２４の間で駆動し、タイミングベルト２２２に結合されたキャリッジ３００がガイドレール２１０に沿って副走査方向に移動する。
【００２８】
制御部２３０は、後述するフラットケーブル２４０が接続されているコネクタ２３４を備える。制御部２３０はこのフラットケーブル２４０を介してキャリッジ３００と電気的に接続されると共に、ステッピングモータ２２６とも電気的に接続されており、スキャナ１０全体の動作を制御する。制御部２３０は、ステッピングモータ２２６の制御信号をステッピングモータ２２６へ供給することで、キャリッジ３００の副走査方向に沿った移動を制御する。また、制御部２３０は、図示しない記憶素子を有し、キャリッジ３００における読み取りにより生成された画像データ等を記憶することができる。また、制御部２３０は、図示しないコネクタを介してスキャナ１０の外部と接続可能となっており、キャリッジ３００における読み取りにより生成された画像データを外部の情報処理装置（図示せず）に伝送することができる。
【００２９】
電源ユニット２５０は、スキャナ１０の動作のための電源を供給する。電源ユニット２５０は、自ら電力を蓄える構成を有するとしてもよいし、コネクタ２５２を介して外部から電力の供給を受ける構成を有するとしてもよい。
【００３０】
キャリッジ３００は、図２に示すように、略筺形形状を有し、略矩形形状の側面３５１が主走査順方向（Ｙ１方向）と対向するように配置されている。キャリッジ３００はこの側面３５１が副走査方向に沿った状態で移動可能となるようにガイドレール２１０に取り付けられている。キャリッジ３００は、上面に発光部３１０と受光部３２０とを備え、側面３５１には、図３に示すように、後述するロック部材５０の凸部５１と係合可能な凹部３５２が備えられている。
【００３１】
図３に示すキャリッジ３００は、図示しない基準パターンから所定の距離移動することにより、受光部３２０が図示しない白基準板と対向するように配置されている。キャリッジ３００のこの位置を「ホームポジション」と呼ぶ。本実施例では、キャリッジ３００の主走査方向に沿った側面であって、副走査順方向側（Ｘ１方向側）の側面を「前面３５１ａ」と呼び、副走査逆方向側（Ｘ２方向側）を「後面３５１ｂ」と呼ぶ。また、ホームポジションにおける前面３５１ａの位置を「位置Ｐ１」と呼ぶ。ホームポジションは特許請求の範囲における「第１の位置」に該当する。
【００３２】
図２に示すように、発光部３１０および受光部３２０は、キャリッジ３００の主走査方向に沿った長さのほぼ全域にわたって配置されている。発光部３１０は、例えばＬＥＤといった発光素子を発光源として備える。受光部３２０は、主走査方向に沿って並んだ複数の受光素子３２２を備える。受光素子３２２は、例えばＣＣＤやＣＭＯＳ撮像素子といったイメージセンサと光をイメージセンサ上に集めるロッドレンズ（セルフォックスレンズ）との組み合わせにより構成される。受光素子３２２は、発光部３１０から原稿載置板１２上の対象物に照射された光の反射光を受光し、受光の強度に応じた大きさの電圧を出力する。なお、本実施例のスキャナ１０に用いられるキャリッジ３００は、一般に密着型と呼ばれるものであるが、原稿をレンズによってＣＣＤに縮小投影する縮小光学系のスキャナであってもよい。
【００３３】
フラットケーブル２４０は帯状の信号線であり、複数の導体を並列に配置して両面をポリエステルテープで挟むことにより形成され、０．５ｍｍ〜１．２５ｍｍ程度の厚みを有している。フラットケーブル２４０の表面には電気的ノイズを抑制するためのアルミが添付されている。既述のとおり、フラットケーブル２４０は一方の端部がキャリッジ３００に接続され、他方の端部が制御部２３０のコネクタ２３４に接続されている。
【００３４】
ロック部材５０は、キャリッジ３００と側面１１ａとの間に配置され、主走査方向に往復移動可能に固定されている。ロック部材５０は、キャリッジ３００の側面３５１と対向する側に凸部５１を備える。凸部５１は略矩形断面を備えた柱状をなし、軸線が主走査方向に沿うように形成されている。キャリッジ３００がホームポジションにあるときに、ロック部材５０を主走査順方向（Ｙ１方向）に移動させると、凸部５１がキャリッジ３００に備えられた凹部３５２と係合し、キャリッジ３００を固定する。本実施例では、柱状に形成された凸部５１の側端面であって、副走査順方向（Ｘ１方向側）の面を「前係合面５１ａ」と呼び、副走査逆方向側（Ｘ２方向側）の面を「後係合面５１ｂ」と呼ぶ。後係合面５１ｂは、キャリッジ３００がホームポジションにある場合、凸部５１において前面３５１ａからの副走査方向における距離が最大となる部分である。
【００３５】
図４は、スキャナのＹ方向断面の一部を例示した説明図である。図５はロック部材の凸部とキャリッジの凹部が係合した状態を例示した説明図である。図４に示すように、ロック部材５０は、側面１１ａの一部に形成された棚部１１ｂを挟み込むようにして固定されている。ロック部材５０はさらに下部に操作部５２を備える。操作部５２は板状であって、下端がケース１１の外部に露出することにより、外部からロック部材５０が操作可能となるように形成されている。図５に示すように、キャリッジ３００がホームポジションにある場合において、ロック部材５０は、操作部５２が主走査順方向（Ｙ１方向）に押し込まれることにより、凸部５１がキャリッジ３００の凹部３５２と係合する。
【００３６】
Ａ２．キャリッジとロック機構の位置関係：
図６はキャリッジが副走査逆方向側限界位置にある状態を例示した説明図である。キャリッジ３００は、ホームポジションより副走査逆方向側では、度当たり板４０に接触する位置まで移動できる。キャリッジ３００は度当たり板４０と接触することにより副走査逆方向への移動は機械的に限界となる。本実施例では、キャリッジ３００のこの位置を「ＭＳポジション」と呼び、ＭＳポジションにおける前面３５１ａの位置を「位置Ｐ２」と呼ぶ。ＭＳポジションは特許請求の範囲における「第２の位置」に該当する。
【００３７】
このとき、副走査方向において、位置Ｐ１から凸部５１の後係合面５１ｂまでの距離をＬ１とし、位置Ｐ１から位置Ｐ２までの距離をＬ２とすると、距離Ｌ１＞距離Ｌ２となる。そのため、キャリッジ３００がＭＳポジションにある場合に、ロック部材５０を主走査順方向に移動させると、凸部５１の少なくとも一部はキャリッジ３００の側面３５１と接触する。
【００３８】
図７はキャリッジがＡＤＦポジションにある状態を例示した説明図である。図に示すように、キャリッジ３００はＡＤＦポジションをとる際、ホームポジションより副走査逆方向側（Ｘ２方向側）に移動し、受光部３２０が原稿透過板１３と対向する位置で停止する。ＡＤＦポジションにおける前面３５１ａの位置を「位置Ｐ３」と呼ぶ。ＡＤＦポジションは特許請求の範囲における「第３の位置」に該当する。
【００３９】
このとき、副走査方向において、位置Ｐ１から位置Ｐ３までの距離をＬ３とすると、距離Ｌ１＞距離Ｌ３となる。そのため、キャリッジ３００がＡＤＦポジションにある場合に、ロック部材５０を主走査順方向に移動させると、凸部５１の少なくとも一部はキャリッジ３００の側面３５１と接触する。
【００４０】
以上の本実施例に係る原稿読み取り装置によれば、キャリッジ３００の凹部３５２と係合する凸部５１は、キャリッジ３００と係合可能な第１の位置以外の第２の位置において操作されても、キャリッジ３００の側面３５１と当接する。そのため、凸部５１によりキャリッジ３００の移動は規制されないため、凸部５１との干渉によるキャリッジ３００の破損や、キャリッジ３００の動作が規制されることに伴う不具合の発生を抑制することができる。
【００４１】
本実施例に係る原稿読み取り装置によれば、キャリッジ３００がホームポジションにある場合にキャリッジ３００の凹部３５２とロック部材５０の凸部５１は係合可能であるため、キャリッジを固定することができ、搬送時にキャリッジ３００の移動や振動を抑制することができる。
【００４２】
本実施例に係る原稿読み取り装置によれば、キャリッジ３００がＭＳポジションにある場合に、ロック部材５０が操作されて、凸部５１が移動しても、凸部５１はキャリッジ３００の側面３５１と接触する。そのため、キャリッジ３００がＭＳポジションとホームポジションとの間にあれば、凸部５１は側面３５１と接触するため、キャリッジ３００が凸部５１と干渉して破損したり、キャリッジ３００の動作が規制されたりする等の不具合の発生が抑制できる。
【００４３】
本実施例に係る原稿読み取り装置によれば、キャリッジ３００がホームポジションとＭＳポジションとの間のＡＤＦポジションにある場合に、ロック部材５０が操作されて、凸部５１が移動しても、凸部５１はキャリッジ３００の側面３５１と接触する。そのため、キャリッジ３００が凸部５１と干渉して破損したり、キャリッジ３００の動作が規制されたりする等の不具合の発生が抑制できる。
【００４４】
本実施例に係る原稿読み取り装置によれば、ロック部材５０は、下端がケース１１の外部に露出した操作部５２を備えているため、外部からキャリッジ３００を固定するための操作をすることができる。
【００４５】
Ｂ．変形例：
本実施例では、前面３５１ａは、キャリッジ３００の副走査順方向側の面全体として表されているが、前面３５１ａはキャリッジ３００の副走査順方向側に形成された面の一部であってもよい。
【００４６】
本実施例では、凸部５１は略四角形の断面を備えているが、略円形等ほかの断面形状を備えていてもよい。
【００４７】
本実施例では、キャリッジ３００の第１の位置はホームポジションとし、また第２の位置はＭＳポジションとしたが、それ以外の位置を第１の位置および第２の位置としてもよい。
【００４８】
本実施例では、ＭＳポジションは副走査逆方向側限界位置としたが、副走査順方向側限界位置であってもよい。
【００４９】
本実施例では、ロック部材５０には、板状に形成され、下端がケース１１から外部に露出した操作部５２が備えられているが、操作部５２の形状はこれに限らず、例えば、種々の機構を伴い、スイッチやレバーにより操作するものとしてもよい。また、電気的に制御するものであってもよい。
【００５０】
本実施例では、原稿供給装置１８を備えた原稿読み取り装置として実施したが、原稿供給装置１８を備えない原稿読み取り装置についても実施可能である。この場合、ＡＤＦポジション以外の位置を第３の位置とすることも可能であるし、また、第３の位置がないものであってもよい。
【００５１】
本実施例におけるスキャナ１０はスキャナ専用機であるが、これに限らず、スキャナとプリンタなどの複数の機能が一体となった多機能デバイス、コピー機における原稿読み取り部、ファックスにおける原稿読み取り部などにも、本発明を適用することができる。一般的には、発光ダイオードや冷陰極管水銀ランプを光源として、紙、フィルムなどの原稿を読み取る読取機能を少なくとも備える装置に、本発明を適用可能である。
【００５２】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【図面の簡単な説明】
【００５３】
【図１】本実施例におけるスキャナの外観を例示した説明図である。
【図２】スキャナの内部を例示した説明図である。
【図３】スキャナのＸ方向断面の一部を例示した説明図である。
【図４】スキャナのＹ方向断面の一部を例示した説明図である。
【図５】ロック部材の凸部とキャリッジの凹部が係合した状態を例示した説明図である。
【図６】キャリッジが副走査逆方向側限界位置にある状態を例示した説明図である。
【図７】キャリッジがＡＤＦポジションにある状態を例示した説明図である。
【符号の説明】
【００５４】
１０…スキャナ
１１…ケース
１２…原稿載置板
１３…原稿透過板
１４…原稿押さえ
５０…ロック部材
５１…凸部
５２…操作部
２１０…ガイドレール
３００…キャリッジ
３５１…側面
３５２…凹部
【図１】
2009212652.tif 000003
【図２】
2009212652.tif 000004
【図３】
2009212652.tif 000005
【図４】
2009212652.tif 000006
【図５】
2009212652.tif 000007
【図６】
2009212652.tif 000008
【図７】
2009212652.tif 000009